(57)【要約】  イベント発生通知方法及びこれを用いた携帯端末機を提供する。本発明のイベント発生通知方法は、未確認イベントが発生したか否かを判断するステップと、携帯端末機へのユーザの注意を感知するステップと、ユーザの注意を感知すると未確認イベントの発生を通知するステップと、を有する。携帯端末機は、ユーザが携帯端末機に注意を払っている間にのみ未確認イベントの発生を通知するので、未確認イベントを通知する回数が減り、未確認イベントの発生を通知するサウンド又は振動による周りの人々への被害及び携帯端末機の電力消耗を最小化することができる。【選択図】図２
2013502809.tif 000002
【特許請求の範囲】
【請求項１】
携帯端末機におけるユーザへのイベント発生通知方法であって、
未確認イベントが発生したか否かを判断するステップ（２１０）と、
前記携帯端末機へのユーザの注意を感知するステップ（２２０）と、
前記ユーザの注意を感知すると、ユーザに前記未確認イベントの発生を通知するステップ（２４０）と、を有することを特徴とするイベント発生通知方法。
【請求項２】
前記携帯端末機へのユーザの注意を感知するモジュール部を活性化するステップ（２２０）を更に含むことを特徴とする請求項１に記載のイベント発生通知方法。
【請求項３】
前記未確認イベントが、予め設定された緊急確認を要求するイベントリストに含まれるか否かを判断するステップ（３２０）を更に含み、
前記ユーザの注意を感知するステップは、
前記未確認イベントが前記予め設定された緊急確認を要求するイベントリストに含まれない場合に行われることを特徴とする請求項１に記載のイベント発生通知方法。
【請求項４】
前記未確認イベントは、
未確認着信呼、未確認メッセージ、及び未確認アラームのうちの少なくとも１つに該当することを特徴とする請求項１に記載のイベント発生通知方法。
【請求項５】
前記ユーザの注意を感知するステップは、
ユーザが、前記携帯端末機にタッチ入力したか否か、又は前記携帯端末機にモーション入力したか否かを感知することを特徴とする請求項１に記載のイベント発生通知方法。
【請求項６】
前記ユーザの注意を感知するステップは、
ユーザが、前記携帯端末機から予め設定された距離以内に接近したか否かを感知することを特徴とする請求項１に記載のイベント発生通知方法。
【請求項７】
前記未確認イベントの発生を通知するステップは、
少なくとも１回の振動を発生させて出力し、前記未確認イベントの情報を含むメッセージを表示することを特徴とする請求項１に記載のイベント発生通知方法。
【請求項８】
前記未確認イベントの発生を通知するステップは、
前記未確認イベントに対応する振動パターンを抽出するステップと、
前記抽出された振動パターンによる振動を発生させて出力することを特徴とする請求項１に記載のイベント発生通知方法。
【請求項９】
携帯端末機へのユーザの注意を感知するユーザ注意感知モジュール部（１３０）と、
少なくとも１つの未確認イベントが発生したか否かを判断し（２１０）、前記未確認イベントが発生すると前記ユーザ注意感知モジュール部（１３０）を制御して前記携帯端末機へのユーザの注意を感知し、ユーザの注意を感知すると（２４０）ユーザに前記未確認イベントの発生を通知する制御部（１８０）と、を備えることを特徴とする携帯端末機。
【請求項１０】
前記ユーザ注意感知モジュール部（１３０）は、
ユーザが前記携帯端末機にタッチ入力したか否かを感知するセンサ、ユーザが前記携帯端末機にモーション入力したか否かを感知するセンサ、及びユーザが前記携帯端末機から予め設定された距離以内に接近したか否かを感知するセンサのうちの少なくとも１つを含むことを特徴とする請求項９に記載の携帯端末機。
【請求項１１】
通話呼及びメッセージを受信する無線通信部（１１０）を更に含み、
前記制御部は、
前記無線通信部を制御して前記通話呼及びメッセージを受信し、未確認メッセージが発生したか否かを判断することを特徴とする請求項９に記載の携帯端末機。
【請求項１２】
ユーザによって設定されたアラーム情報を格納する格納部（１４０）を更に含み、
前記制御部は、
未確認アラームが発生したか否かを判断することを特徴とする請求項９に記載の携帯端末機。
【請求項１３】
緊急確認を要求するイベントリストを格納する格納部（１４０）を更に含み、
前記制御部は、
前記未確認イベントが前記緊急確認を要求するイベントリストに含まれるか否かを判断することを特徴とする請求項９に記載の携帯端末機。
【請求項１４】
振動を発生させて出力する振動出力部（１６０）を更に含み、
前記制御部は、
前記振動出力部を制御して振動を発生させて出力することを特徴とする請求項９に記載の携帯端末機。
【請求項１５】
表示部（１７０）を更に含み、
前記制御部は、
前記表示部を制御して前記未確認イベントの情報を表示することを特徴とする請求項９に記載の携帯端末機。
【発明の詳細な説明】
【技術分野】
【０００１】
本発明は、イベント発生通知方法及びこれを用いた携帯端末機に関し、より詳細には、未確認イベントの発生をユーザに通知する方法及びこれを用いた携帯端末機に関する。
【背景技術】
【０００２】
最近、携帯端末機の普及率の急速な増加により、携帯端末機は、もはや現代人にとって生活必需品となっている。このような携帯端末機は、固有の音声通話サービスだけでなく、各種のデータ送信サービスや多様な付加サービスも提供できるようになり、機能上マルチメディア通信機器に変貌するようになった。
【０００３】
一般的に、携帯端末機は、通話呼受信及びメッセージ受信のようなイベントの発生時に、サウンド及び／又は振動によってユーザにイベントの発生を通知し、ユーザのイベント確認を誘導する。このとき、ユーザが携帯端末機から遠く離れているか、イベント発生の通知を認識できない場合には、イベントを確認することができず、未確認イベントが発生する。未確認イベントの発生時に、携帯端末機は、一定の周期によりサウンド又は振動によって、未確認イベントの発生をユーザに通知する。ところが、ユーザの不在状況が長くなるにも拘らず、携帯端末機が継続的に未確認イベントの発生を通知すると、これにより発生するサウンド及び／又は振動は、携帯端末機の周りの人々に邪魔になる。また、未確認イベントを通知するための継続的なサウンド又は振動の出力は、携帯端末機の電力を消耗し、携帯端末機の使用可能時間を減らすことになる。
【０００４】
場合によって、ユーザは、未確認イベントの発生の有無のみを知りたいときが生じる。この場合、ユーザは、一般的に表示画面を介して未確認イベントの発生の有無を知ることができるが、ユーザが表示画面を確認できない状況では、未確認イベントの発生の有無を知ることは困難である。
【０００５】
本発明は、携帯端末機における未確認イベントの発生をユーザに効率的に通知する方法を提案する。
【発明の概要】
【発明が解決しようとする課題】
【０００６】
本発明は、上記従来の問題点に鑑みてなされたものであって、本発明の目的は、未確認イベントの発生を通知するサウンド又は振動によって引き起こされる携帯端末機の周りの人々の被害を減らし、携帯端末機の使用時間を増やすことができるイベント発生通知方法を提供することにある。
また、本発明の目的は、ユーザが未確認イベントの発生の有無を知ることができる携帯端末機のイベント発生通知方法を提供することにある。
本発明の他の目的は、ユーザが未確認イベントの発生の有無を知ることができるイベント発生通知方法を用いた携帯端末機を提供することにある。
【課題を解決するための手段】
【０００７】
上記目的を達成するためになされた本発明の一態様による携帯端末機におけるユーザへのイベント発生通知方法は、未確認イベントが発生したか否かを判断するステップと、前記携帯端末機へのユーザの注意（ａｔｔｅｎｔｉｏｎ）を感知するステップと、前記ユーザの注意を感知すると、ユーザに前記未確認イベントの発生を通知するステップと、を有することを特徴とする。
【０００８】
上記目的を達成するためになされた本発明の一態様による携帯端末機は、携帯端末機へのユーザの注意を感知するユーザ注意感知モジュール部と、少なくとも１つの未確認イベントが発生したか否かを判断し、前記未確認イベントが発生すると前記ユーザ注意感知モジュール部を制御して前記携帯端末機へのユーザの注意を感知し、ユーザの注意を感知するとユーザに前記未確認イベントの発生を通知する制御部と、を備えることを特徴とする。
【０００９】
本発明の一態様による携帯端末機は、受信部、入力部、及び制御部を備え、前記制御部は、処理コードが格納されたメモリ部と通信してアクセスする処理部を含み、前記処理部は、前記受信部からメッセージを受信し、前記受信部から前記メッセージを受信した後、予め設定された時間の間、前記入力部からユーザ入力を受け付け、前記予め設定された時間の間にユーザ入力がなく、前記受信したメッセージを未確認メッセージと判断した場合、前記受信したメッセージに対する通知出力を制限する処理を行う。
【発明の効果】
【００１０】
本発明によれば、携帯端末機は、ユーザが携帯端末機に注意を払っている間にのみ未確認イベントの発生をユーザに通知するので、未確認イベントを通知する回数が減り、携帯端末機の周りの人々への被害、及び携帯端末機の電力消耗を減少させることができる。また、ユーザは、携帯端末機にタッチするか又は簡単なモーション入力だけでも、未確認イベントの発生の有無を知ることができる。
【図面の簡単な説明】
【００１１】
【図１】本発明の一実施形態による未確認イベントの発生をユーザに通知する携帯端末機を示すブロック図である。
【図２】本発明の第１実施形態による未確認イベントの発生をユーザに通知する過程を示すフローチャートである。
【図３】本発明の第２実施形態による未確認イベントの発生をユーザに通知する過程を示すフローチャートである。
【図４】本発明の実施形態による未確認イベントの発生をユーザに通知する方法を適用した一例を示す図である。
【図５】本発明の実施形態による未確認イベントの発生をユーザに通知する方法を適用した他の例を示す図である。
【図６】本発明の実施形態による未確認イベントの発生をユーザに通知する方法を適用した更に他の例を示す図である。
【発明を実施するための形態】
【００１２】
本実施形態で使用する「イベント」とは、携帯端末機で発信及び着信に関連するイベントや、ユーザによって設定されるイベント等を意味する。例えば、通話呼及び文字メッセージ等に関連するイベント（発信呼、着信呼、着信メッセージ、及び発信メッセージ等）や、ユーザによって設定されたアラームイベント（モーニングコール、アラーム、スケジュール）等が本発明の「イベント」に該当する。
【００１３】
本実施形態による「未確認イベント（ｍｉｓｓｅｄ  ｅｖｅｎｔ）」とは、携帯端末機により受信されたイベント又はユーザにより設定されたイベントのうちのユーザが確認できないイベントを意味し、「確認イベント（ｃｏｎｆｉｒｍｅｄ  ｅｖｅｎｔ）」とは、ユーザにより確認されたイベントを意味する。
【００１４】
以下、本発明を実施するための形態の具体例を、図面を参照しながら詳細に説明する。ここで、図面で同一の構成要素は可能な限り同一の符号で示す。また、本発明の要旨を不明瞭にする公知機能及び構成に対する詳細な説明は省略する。
【００１５】
図１は、本発明の一実施形態による未確認イベントの発生をユーザに通知する携帯端末機を示すブロック図である。
【００１６】
無線通信部１１０は、携帯端末機の無線通信のための該当データの送受信を行う。無線通信部１１０は、送信する信号の周波数を上昇変換及び増幅するＲＦ送信機と、受信した信号を低雑音増幅し、周波数を下降変換するＲＦ受信機と、で構成される。また、無線通信部１１０は、無線チャネルを介してデータを受信して制御部１８０に出力し、制御部１８０から出力されたデータを、無線チャネルを介して送信する。本実施形態による無線通信部１１０は、基地局（Ｂａｓｅ  Ｓｔａｔｉｏｎ）から通話呼又はメッセージを受信することにより、着信呼イベント又は着信メッセージイベントの発生を制御部１８０に送信する。
【００１７】
オーディオ処理部１２０はコーデック（ｃｏｄｅｒ／ｄｅｃｏｄｅｒ）（図示せず）で構成され、コーデックは、パケットデータ等を処理するデータコーデックと、音声などのオーディオ信号を処理するオーディオコーデックとを備える。オーディオ処理部１２０は、デジタルオーディオ信号をオーディオコーデックによりアナログオーディオ信号に変換してスピーカＳＰＫ（図示せず）を介して再生し、マイクＭＩＣ（図示せず）から入力されたアナログオーディオ信号をオーディオコーデックによりデジタルオーディオ信号に変換する。オーディオ処理部１２０は、着信呼イベント、着信メッセージイベント、アラームイベントの発生時に、これらに対応して設定されたサウンド（ｓｏｕｎｄ）を、スピーカを介して出力する。
【００１８】
ユーザ注意感知モジュール部１３０は、ユーザが携帯端末機に注意を払っているか否かを感知する。本実施形態において、ユーザ注意感知モジュール部１３０は、タッチセンサ（ｔｏｕｃｈ  ｓｅｎｓｏｒ）、圧力センサ、温度センサ、モーションセンサ（ｍｏｔｉｏｎ  ｓｅｎｓｏｒ）、近接センサ等から構成される。タッチセンサは、ユーザの携帯端末機へのタッチを感知するセンサであり、接触圧力の強度及び接触位置を感知できる触覚センサ（ｔａｃｔｉｌｅ  ｓｅｎｓｏｒ）で構成されてもよく、タッチセンサ及び圧力センサ（ｐｒｅｓｓｕｒｅ  ｓｅｎｓｏｒ）の組み合わせで構成されてもよい。タッチセンサは、携帯端末機の側部に設けられ、ユーザが携帯端末機にタッチすると、タッチを感知してセンサ信号を発生させ、制御部１８０に伝達する。ユーザ注意感知モジュール部１３０は、非活性化（ｉｎａｃｔｉｖｅ）状態に設定され、所定の入力によって活性化（ａｃｔｉｖｅ）状態に切り替わる。本実施形態において、ユーザ注意感知モジュール部１３０は、基本状態として活性化状態に設定されて維持される。ユーザ注意感知モジュール部１３０の活性化状態とは、ユーザが携帯端末機に注意を払っているか否かを感知することができる状態を意味する。
【００１９】
温度センサ（ｔｅｍｐｅｒａｔｕｒｅ  ｓｅｎｓｏｒ）は、携帯端末機の周辺温度を測定するセンサである。ユーザが携帯端末機にタッチすると、温度センサは、ユーザの体温を感知し、センサ信号を発生させて制御部１８０に伝達する。
【００２０】
モーションセンサは、ユーザが携帯端末機に入力するモーションを感知するセンサであり、加速度センサ（ａｃｃｅｌｅｒａｔｉｏｎ  ｓｅｎｓｏｒ）、傾斜センサ（ｔｉｌｔ  ｓｅｎｓｏｒ）、ジャイロセンサ（ｇｙｒｏ  ｓｅｎｓｏｒ）等で構成される。ユーザが携帯端末機に一定のモーションを入力すると（例えば、携帯端末機を触る動作）、モーションセンサは、これを感知してセンサ信号を発生させ、制御部１８０に伝達する。
【００２１】
近接センサ（ｐｒｏｘｉｍｉｔｙ  ｓｅｎｓｏｒ）は、ユーザの携帯端末機への近接を感知するセンサであり、磁気型近接センサ、静電容量近接センサ等で構成される。ユーザが手を携帯端末機に徐々に接近させ、近接センサがユーザの手を感知できる領域内に位置すると、近接センサは、これを感知してセンサ信号を発生させ、制御部１８０に伝達する。
【００２２】
ユーザ注意感知モジュール部１３０は、上記センサのうちのいずれか１つのセンサから構成されてもよく、複数のセンサの組み合わせで構成されてもよい。
【００２３】
格納部１４０は、携帯端末機の動作に必要なプログラム及びデータを格納し、プログラム領域（図示せず）とデータ領域（図示せず）とに区分される。格納部１４０は、揮発性（ｖｏｌａｔｉｌｅ）格納媒体又は不揮発性（ｎｏｎｖｏｌａｔｉｌｅ）格納媒体で構成されるか、或いは両格納媒体の組み合わせ（ｃｏｍｂｉｎａｔｉｏｎ）で構成される。揮発性格納媒体としては、ＲＡＭ、ＤＲＡＭ、ＳＲＡＭのような半導体メモリ（ｓｅｍｉｃｏｎｄｕｃｔｏｒ  ｍｅｍｏｒｙ）が含まれ、不揮発性格納媒体としては、ハードディスク（ｈａｒｄ  ｄｉｓｋ）又はＰＲＯＭ及びＦＬＡＳＨのような半導体メモリが含まれる。本実施形態において、格納部１４０は、ユーザ注意感知モジュール部１３０が感知するユーザの注意に対応する未確認イベントの発生をユーザに通知する方法に関する情報を格納する。例えば、格納部１４０は、携帯端末機を掴む入力に応答する振動出力を格納する。ユーザ注意感知モジュール部１３０が複数のセンサで構成される場合、格納部１４０は、ユーザの注意を感知するセンサの種類に対応して未確認イベントの発生を通知する方法に関する情報を格納してもよい。また、格納部１４０は、ユーザが設定したアラームイベント（モーニングコール、アラーム、スケジュールなど）に関する情報を格納する。本実施形態において、格納部１４０は、緊急確認を要求するイベントに関する情報を格納してもよい。
【００２４】
入力部１５０は、携帯端末機を制御するためのユーザのキー操作信号の入力を受けて、制御部１８０に伝達する。入力部１５０は、３×４キーボード、Ｑｗｅｒｔｙキーボード、数字キー、文字キー、又は方向キーを含むキーパッドなどで構成されてもよく、タッチパッドで構成されてもよい。入力部１５０は、ユーザの入力により携帯端末機の機能を実行する入力信号を生成して制御部１８０に伝達する。
【００２５】
振動出力部１６０は、振動信号を発生させて出力し、振動モータ（ｖｉｂｒａｔｉｏｎ  ｍｏｔｏｒ）で構成される。振動出力部１６０は、制御部１８０の制御により振動を発生させて出力する。
【００２６】
表示部１７０は、液晶表示装置（ＬＣＤ：Ｌｉｑｕｉｄ  Ｃｒｙｓｔａｌ  Ｄｉｓｐｌａｙ）又はＬＥＤ、ＯＬＥＤを含む従来のディスプレイ装置で形成され、携帯端末機のメニュー、入力されたデータ、機能設定情報、及びその他の多様な情報をユーザに視覚的に提供する。例えば、表示部１７０は、携帯端末機のブート画面、待機画面、表示画面、通話画面、その他のアプリケーション実行画面を出力する。本実施形態において、表示部１７０は、制御部１８０の制御により、イベントの発生又は未確認イベントの発生を示すメッセージを表示する。
【００２７】
制御部１８０は、携帯端末機の全般的な動作と、携帯端末機の内部ブロック間の物理的或いは論理的な信号の流れとを制御する。制御部１８０は、無線通信部１１０を制御して、携帯端末機の発信及び／又は着信に関連するイベントの発生の有無を判断する。また、制御部１８０は、格納部１４０を検索して、ユーザにより設定されたアラームイベントを発生する。本実施形態において、制御部１８０は、未確認イベントの発生の有無を判断する。制御部１８０は、無線通信部１１０を介して着信呼が発生し、ユーザの応答が入力部１５０を介して検出又は感知されない場合、未確認イベントが発生したと判断する。また、制御部１８０は、無線通信部１１０を介して着信文字メッセージイベントが発生し、所定の時間内に入力部１５０を介してユーザの応答が検出されない場合、未確認イベントが発生したと判断する。制御部１８０は、格納部１４０を検索してユーザにより設定されたアラームイベントを発生する。
【００２８】
制御部１８０は、非活性化状態のユーザ注意感知モジュール部１３０を制御して、ユーザ注意感知モジュール部１３０が活性化状態ではない場合には、活性化状態に切り替える。制御部１８０は、ユーザ注意感知モジュール部１３０を制御して、ユーザが携帯端末機に注意を払っているか否かを判断する。ユーザ注意感知モジュール部１３０がタッチセンサ又は温度センサで構成される場合、制御部１８０は、ユーザ注意感知モジュール部１３０を制御して、ユーザが携帯端末機にタッチしたか否かを判断する。ユーザ注意感知モジュール部１３０がモーションセンサで構成される場合、制御部１８０は、ユーザ注意感知モジュール部１３０を制御して、ユーザが携帯端末機にモーション入力したか否かを感知する。ユーザ注意感知モジュール部１３０が近接センサで構成される場合、制御部１８０は、ユーザ注意感知モジュール部１３０を制御して、ユーザが携帯端末機から所定の距離内に接近したか否かを感知する。
【００２９】
制御部１８０は、ユーザ注意感知モジュール部１３０を介してユーザが携帯端末機に注意を払っているものと判断すると、振動出力部１６０、表示部１７０、及び／又はオーディオ処理部１２０を制御して未確認イベントの発生通知を出力する。
【００３０】
本実施形態において、制御部１８０は、未確認イベントが緊急確認を要求するイベントリストに含まれるか否かを判断する。未確認イベントが緊急確認を要求するイベントリストに含まれる場合、制御部１８０は、ユーザの注意と関係なく、振動出力部１６０、表示部１７０、及び／又はオーディオ処理部１２０を制御して未確認イベントが発生したことをユーザに通知する。また、未確認イベントが緊急確認を要求するイベントリストに含まれない場合、制御部１８０は、ユーザ注意感知モジュール部１３０を制御して、ユーザが携帯端末機に注意を払っているか否かを判断する。
【００３１】
図２は、本発明の第１実施形態による未確認イベントの発生をユーザに通知する過程を示すフローチャートである。
【００３２】
２１０ステップで、制御部１８０は、未確認イベントが発生したか否かを判断する。制御部１８０は、未確認イベントが発生したか否かを判断するために、先ず、イベントが発生したか否かを判断する。イベントとは、携帯端末機で発信及び着信に関連するイベントと、ユーザにより設定されたアラームイベント等を意味し、発信及び着信に関連するイベントとしては、発信呼イベント、着信呼イベント、着信メッセージイベント、及び発信メッセージイベントがあり、ユーザによって設定されるアラームイベントとしては、モーニングコールイベント、アラームイベント、スケジュールイベント等がある。制御部１８０は、イベントが発生したと判断すれば、オーディオ処理部１２０、振動出力部１６０、及び／又は表示部１７０を制御してイベントの発生を通知する。次に、制御部１８０は、入力部１５０を介してユーザから確認命令が入力されたか否かを判断する。制御部１８０は、イベントの発生通知を出力した後、ユーザから確認命令が入力されると、発生したイベントを確認イベントに分類し、ユーザから確認命令が入力されなければ、未確認イベントに分類する。制御部１８０は、発生したイベントを未確認イベントに分類するとき、未確認イベントが発生したと判断する。
【００３３】
例えば、発生したイベントが着信呼イベントに該当する場合、制御部１８０は、無線通信部１１０を制御して着信呼を受信し、オーディオ処理部１２０、振動出力部１６０、及び／又は表示部１７０を制御してイベントの発生を通知する間に入力部１５０からユーザが確認命令を入力したという入力信号を受信すると、着信呼イベントを確認イベントに分類する。仮に、制御部１８０が無線通信部１１０を制御して着信呼を受信する間に入力部１５０からユーザが確認命令を入力したという入力信号を受信しなければ、イベントの発生通知を終了して着信呼イベントを未確認イベントに分類する。
【００３４】
また、発生したイベントが着信メッセージイベントに該当する場合、制御部１８０は、無線通信部１１０を制御してメッセージを受信し、オーディオ処理部１２０、振動出力部１６０、及び／又は表示部１７０を制御して着信メッセージイベントの発生をユーザに通知し、次に、入力部１５０を介して所定の時間内にユーザの確認命令が入力されたか否かを判断する。本実施形態において、制御部１８０は、オーディオ処理部１２０、表示部１７０、及び／又は振動出力部１６０を介してイベントの発生を最初に通知した後、予め設定された回数だけイベントの発生を追加的に通知しながら、イベントの発生をユーザに通知する間に入力部１５０を介してユーザの確認命令が入力されたか否かを判断する。
【００３５】
発生したイベントがユーザにより設定されたアラームイベントに該当する場合、制御部１８０は、オーディオ処理部１２０、振動出力部１６０、及び／又は表示部１７０を制御してアラームイベントの発生をユーザに通知し、入力部１５０を介して所定の時間内にユーザの確認命令が入力されたか否かを判断する。所定の時間は、アラームイベントをユーザに通知する予め設定された時間であり、携帯端末の製造過程又はユーザにより設定される。
【００３６】
制御部１８０は、入力部１５０を介してユーザの確認命令が入力されたか否かを判断し、所定の時間内に確認命令が入力されなければ、未確認イベントが発生したと判断する。
【００３７】
２２０ステップで、未確認イベントが発生した場合、制御部１８０は、ユーザ注意感知モジュール部１３０を活性化する。本実施形態において、ユーザ注意感知モジュール部１３０は、待ち状態で非活性化状態に維持される。ユーザ注意感知モジュール部１３０の非活性化状態とは、ユーザ注意感知モジュール部１３０を構成する少なくとも１つのセンサモジュールが駆動しない状態や、少なくとも１つのセンサモジュールが駆動してはいるが、低電力モードであってユーザが携帯端末機に注意を払っているか否かを感知できない状態を意味する。制御部１８０は、未確認イベントが発生した場合、非活性化状態のユーザ注意感知モジュール部１３０を活性化状態に切り替える。
【００３８】
２３０ステップで、制御部１８０は、ユーザ注意感知モジュール部１３０を制御し、ユーザが携帯端末機に注意を払っているか否かを感知する。本実施形態において、ユーザ注意感知モジュール部１３０は、タッチセンサ、温度センサ、モーションセンサ、近接センサのうちの少なくとも１つで構成されるものと仮定して説明する。しかし、これに限定されるものではなく、ユーザ注意感知モジュール部１３０は、ユーザが接触及び／又は非接触で携帯端末機に入力されるような他の形態のセンサを含んでもよい。
【００３９】
ユーザ注意感知モジュール部１３０がタッチセンサ又は温度センサで構成される場合、制御部１８０は、ユーザ注意感知モジュール部１３０を制御して、ユーザが携帯端末機にタッチしたか否かを感知する。例えば、ユーザ注意感知モジュール部１３０が携帯端末機の側部に形成された場合、制御部１８０は、ユーザが携帯端末機を掴んだか否かを感知する。タッチセンサは、ユーザが携帯端末機に接触を加えた位置及び／又は圧力の強度を感知し、センサ信号を発生させて制御部１８０に伝達する。温度センサは、温度の変化を感知し、センサ信号を発生させて制御部１８０に伝達する。制御部１８０は、タッチセンサ及び／又は温度センサから受信したセンサ信号を介して、ユーザが携帯端末機に注意を払っているか否かを判断する。
【００４０】
ユーザ注意感知モジュール部１３０がモーションセンサで構成される場合、制御部１８０は、ユーザ注意感知モジュール部１３０を制御して、ユーザが携帯端末機にモーション入力したか否かを感知する。ユーザによるモーション入力としては、タッピング（ｔａｐｐｉｎｇ）、スナッピング  （ｓｎａｐｐｉｎｇ）、シェイキング（ｓｈａｋｉｎｇ）などがあり、モーションセンサは、加速度の変化などを感知し、センサ信号を発生させて制御部１８０に送信する。本実施形態において、モーションには、ユーザが携帯端末機に触る動作などの簡単な動作が含まれてもよい。
【００４１】
ユーザ注意感知モジュール部１３０が近接センサで構成される場合、制御部１８０は、ユーザ注意感知モジュール部１３０を制御して、ユーザが携帯端末機から所定の距離内に接近したか否かを感知する。近接センサは、携帯端末機の表示画面位置に設けられてもよく、また、携帯端末機の上部面、下部面、側面などに設けられてもよい。近接センサが携帯端末機の表示画面位置に設けられた場合、ユーザが表示画面に手を近付けると、近接センサは、ユーザの携帯端末機への接近を感知する。
【００４２】
本実施形態において、ユーザが携帯端末機にタッチする動作、ユーザが携帯端末機にモーション入力する動作、ユーザが携帯端末機に接近する動作は、ユーザが携帯端末機に注意を払っている動作に該当し、ユーザ注意感知モジュール部１３０は、センサ信号を発生させて制御部１８０に伝達し、制御部１８０は、センサ信号を受信してユーザが携帯端末機に注意を払っているものと判断する。
【００４３】
２４０ステップで、制御部１８０は、振動出力部１６０、表示部１７０、及び／又はオーディオ処理部１２０を制御して、未確認イベントが発生したことをユーザに通知する。オーディオ処理部１２０を制御してサウンドを出力する場合、携帯端末機の周りの人々の邪魔になるので、制御部１８０は、振動出力部１６０及び表示部１７０のみを制御して未確認イベントの発生をユーザに通知することができる。また、制御部１８０は、振動出力部１６０又は表示部１７０のどちらかを制御して未確認イベントの発生をユーザに通知することができる。さらに、制御部１８０は、未確認着信呼イベント、未確認着信メッセージイベント、未確認アラームイベント等、未確認イベントを種類別に分類し、振動出力部１６０を制御してイベント種類毎にこれに対応する振動パターンによって振動を出力することができる。これにより、ユーザは、表示部１７０を確認しなくても、どの未確認イベントが発生したのかが分かる。制御部１８０は、振動出力と共に表示部１７０を制御して未確認イベントに関する情報（メッセージ又は呼の発信先、アラーム情報）を表示することができ、振動出力をせずに表示部１７０のみを制御して未確認イベントに関する情報を表示することができる。制御部１８０は、ユーザが未確認イベントの確認命令を入力したという信号を受信すると、未確認イベントを確認イベントとして処理する。
【００４４】
図３は、本発明の第２実施形態による未確認イベントの発生をユーザに通知する過程を示すフローチャートである。
【００４５】
３１０ステップは、図２の２１０ステップと同一の手続きに該当する。即ち、制御部１８０は、イベントが発生したか否かを判断し、イベントが発生すると、入力部１５０を介してユーザの確認命令が入力されたか否かを判断し、ユーザの確認命令が所定の時間内に入力されると、発生したイベントを確認イベントに分類し、ユーザの確認命令が所定の時間内に入力されなければ、発生したイベントを未確認イベントに分類する。制御部１８０は、確認命令が所定の時間内に受信されなければ、発生したイベントを未確認イベントと判断する。
【００４６】
３２０ステップで、制御部１８０は、未確認イベントが緊急確認を要求するイベントに該当するか否かを判断する。格納部１４０には、緊急確認を要求するイベントリストが格納される。例えば、着信文字メッセージイベントのうちの着信「緊急文字メッセージ」イベントは、緊急確認を要求するイベントリストに格納される。また、予め設定された回数以上繰り返される着信呼イベントも、緊急確認を要求するイベントリストに格納されてもよい。即ち、同一電話番号から着信呼イベントが繰り返して発生し、ユーザがこれを確認しない場合、制御部１８０は、発生したイベントを、緊急確認を要求するイベントと判断することができる。このようなメッセージは、ユーザによって設定される。例えば、「雇用主」、「事業同僚」、又は「家内」からのメッセージを「緊急文字メッセージ」に設定する。このような方式で緊急文字メッセージは、受信されたメッセージの重要度によって決定される。
【００４７】
制御部１８０は、発生した未確認イベントを、緊急確認を要求するイベントと判断した場合、３５０ステップに進んで、振動出力部１６０、表示部１７０、及び／又はオーディオ処理部１２０を制御して未確認イベントが発生したことをユーザに通知する。緊急確認を要求するイベントの場合、携帯端末機は、ユーザが携帯端末機に注意を払うように継続的に未確認イベントの発生をユーザに通知する。
【００４８】
制御部１８０は、発生した未確認イベントが緊急確認を要求するイベントでない場合、３３０ステップに進んで、ユーザ注意感知モジュール部１３０を活性化させ、３４０ステップで、ユーザ注意感知モジュール部１３０を制御してユーザが携帯端末機に注意を払っているか否かを感知する。ユーザ注意感知モジュール部１３０は、ユーザの携帯端末機への注意を感知すると、センサ信号を発生させて制御部１８０に伝達し、３５０ステップで、制御部１８０は、振動出力部１６０、表示部１７０、及び／又はオーディオ処理部１２０を制御して未確認イベントが発生したことをユーザに通知する。３３０ステップ、３４０ステップ、及び３５０ステップは、図２の２２０ステップ、２３０ステップ、及び２４０ステップと同一の手続きに該当し、図２のステップに関連する記載内容は、図３のステップにも同一に適用される。緊急確認を要求しないイベントの場合、携帯端末機は、ユーザが携帯端末機に注意を払うように誘導する必要はなく、ユーザが緊急確認を要求する場合にのみ未確認イベントの発生を継続的に通知することで、携帯端末機の周りの人々の被害と携帯端末機の不要な電力消耗とを減らすことができる。
【００４９】
図４は、本発明の実施形態による未確認イベントの発生をユーザに通知する方法を適用した一例を示す図である。ここで、図４に示した携帯端末機に備えられるユーザ注意感知モジュール部１３０は、タッチセンサ又は温度センサで構成されるものと仮定して説明する。
【００５０】
図４の＜ａ＞は、バッグに携帯端末機が入っている形態を示す。この場合、携帯端末機の制御部１８０は、未確認イベントの発生を確認し、ユーザ注意感知モジュール部１３０を活性化させ、ユーザ注意感知モジュール部１３０を制御してユーザが携帯端末機に注意を払っているか否かを感知する。図４の＜ａ＞において、ユーザが携帯端末機に注意を払っていることを通知するために、ユーザはバッグに手を入れて携帯端末機を動かすものとする。図４の＜ｂ＞は、ユーザがバッグの中で携帯端末機を掴んでいる形態を示す。携帯端末機の制御部１８０は、ユーザ注意感知モジュール部１３０からセンサ信号を受信してユーザが携帯端末機を掴んだことを判断し、振動出力部１６０を制御して振動信号を出力する。制御部１８０は、発生した未確認イベントの種類を判断した後、これに対応する振動パターンを格納部１４０から抽出し、振動出力部１６０を制御して、抽出した振動パターンに対応する振動信号を出力する。制御部１８０は、表示部１７０を制御して未確認イベントに関する情報を表示する。携帯端末機の表示画面には、例えば「留守番電話１通」及びこれに該当する着信番号「０１０−６６６７−７７８７」が表示される。
【００５１】
図４を参照すると、ユーザがカバンの中に手を入れて携帯端末機を掴む行為だけでも、未確認イベントの発生の有無が分かり、未確認イベントの種類に対応する振動パターンが設定されている場合には、振動パターンを確認することで未確認イベントの種類が分かる。
【００５２】
図５は、本発明の実施形態による未確認イベントの発生をユーザに通知する方法を適用した他の例を示す図である。ここで、図５のユーザ注意感知モジュール部１３０は、モーションセンサで構成されるものと仮定して説明する。
【００５３】
図５の＜ａ＞は、テーブルの上に携帯端末機が載置されている形態を示す。携帯端末機の制御部１８０は、未確認イベントの発生を確認し、ユーザ注意感知モジュール部１３０を活性化させ、ユーザ注意感知モジュール部１３０を制御してユーザが携帯端末機に注意を払っているか否かを感知する。図５の＜ａ＞において、ユーザが携帯端末機に注意を払うために携帯端末機に触るものとする。図５の＜ｂ＞は、ユーザが携帯端末機を触った形態を示す。携帯端末機の制御部１８０は、ユーザ注意感知モジュール部１３０からセンサ信号を受信してユーザが携帯端末機にモーション入力したことを判断する。制御部１８０は、振動出力部１６０を制御して振動信号を出力し、未確認イベントの種類によって振動パターンが設定されている場合には、設定された振動パターンを抽出し、抽出した振動パターンに対応する振動信号を出力する。制御部１８０は、表示部１７０を制御して未確認イベントに関する情報を表示する。図５の＜ｂ＞の携帯端末機の表示画面には、「留守番電話１通」及び電話番号「０１０−６６６７−７７８７」が表示される。
【００５４】
図５を参照して説明したように、ユーザが携帯端末機を触る動作だけでも未確認イベントの発生の有無が分かり、携帯端末機の振動出力によって未確認イベントの発生の有無が分かり、表示画面を介して、発生した未確認イベントの情報が分かる。
【００５５】
図６は、本発明の実施形態による未確認イベントの発生をユーザに通知する方法を適用した更に他の例を示す図である。ここで、図６のユーザ注意感知モジュール部１３０は、近接センサで構成されるものと仮定して説明する。
【００５６】
図６の＜ａ＞は、テーブルの上に携帯端末機が載置されている形態を示す。携帯端末機の制御部１８０は、未確認イベントの発生を確認し、ユーザ注意感知モジュール部１３０を活性化させ、ユーザ注意感知モジュール部１３０を制御してユーザが携帯端末機に注意を払っているか否かを感知する。図６の＜ｂ＞に示すように、ユーザは、携帯端末機に注意を払うために携帯端末機の表示画面に手を近付ける。図６の＜ｂ＞は、ユーザが表示画面に手を近付けた形態を示す。携帯端末機の制御部１８０は、ユーザ注意感知モジュール部１３０からセンサ信号を受信し、ユーザの手が携帯端末機に対して予め設定された距離以内に接近したと判断する。制御部１８０は、表示部１７０を制御して未確認イベントに関する情報を表示する。図６の＜ｂ＞の携帯端末機の表示画面には、「留守番電話１通」及び電話番号「０１０−６６６７−７７８７」が表示される。
【００５７】
制御部１８０は、振動出力部１６０を制御して振動を出力し、未確認イベントの種類に対応する振動パターンが設定されている場合、設定された振動パターンを抽出し、抽出した振動パターンに対応する振動を出力する。
【００５８】
図６を参照して説明したように、ユーザが携帯端末機に接近する動作だけでも未確認イベントの発生の有無が分かり、携帯端末機の表示画面を介して、発生した未確認イベントの情報が分かる。
【００５９】
上述した本発明による方法は、ハードウェアのコントローラ、ソフトウェア、コンピュータコードで具現される。コンピュータコードは、ＣＤ−ＲＯＭ、ＲＡＭ、フロッピー（登録商標）ディスク、ハードディスク、光磁気ディスクに格納された形態であってもよく、ネットワーク上からダウンロードされてもよい。また、本発明は、汎用コンピュータ、専用プロセッサ、プログラム可能なＡＳＩＣやＦＰＧＡのようなハードウェアで具現されてもよい。コンピュータ、プロセッサ、プログラム可能なハードウェアは、メモリ部を含んでもよく、メモリ部は、ＲＡＭ、ＲＯＭ、フラッシュのうちの１つ以上であってもよい。メモリ部は、ソフトウェア又はコンピュータコードを格納する。ソフトウェア又はコンピュータコードは、コンピュータ、プロセッサ、ハードウェア装置によって、アクセス又は実行される。
【００６０】
以上、本明細書と図面に開示した本発明の実施形態は、本発明の技術内容を容易に説明し、本発明の理解を助けるために特定例を提示しただけであり、本発明の範囲を限定するものではない。ここに開示した実施形態以外にも、本発明の技術的思想に基づいた他の変形例が実施可能であることは、本発明が属する技術分野で通常の知識を有する者に自明である。
【符号の説明】
【００６１】
１１０    無線通信部
１２０    オーディオ処理部
１３０    ユーザ注意感知モジュール部
１４０    格納部
１５０    入力部
１６０    振動出力部
１７０    表示部
１８０    制御部
【図１】
2013502809.tif 000003
【図２】
2013502809.tif 000004
【図３】
2013502809.tif 000005
【図４】
2013502809.tif 000006
【図５】
2013502809.tif 000007
【図６】
2013502809.tif 000008
【国際調査報告】
2013502809.tif 000009
2013502809.tif 000010